【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】
サーバーと、記憶手段と、端末装置とを備え、
記憶手段には、テンプレートを構成する項目を示す項目識別情報、項目の位置を示す項目位置情報及び項目に表示可能な表示情報の属性を示す項目内容定義情報により構成されるテンプレート情報をテンプレートを示すテンプレート識別情報に対応させて記憶するテンプレートマスタと、テンプレート識別情報をＷｅｂページ識別情報に対応させて記憶し、表示情報をＷｅｂページ識別情報及び項目識別情報に対応させて記憶し、構成情報をＷｅｂページ識別情報に対応させて記憶するＷｅｂページファイルが設けられており、
サーバーは、端末装置から送信されたＷｅｂ識別情報を受信し、端末装置から送信されたテンプレート情報送信要求信号を受信すると、記憶手段のテンプレートマスタに記憶されているテンプレート情報を端末装置に送信し、端末装置から送信されたテンプレート選択信号を受信すると、当該受信したテンプレート選択信号で示されているテンプレート識別情報を前記受信したＷｅｂ識別情報により決定したＷｅｂページ識別情報に対応させて記憶手段のＷｅｂページファイルに記憶し、端末装置から送信された項目識別情報と表示情報を受信すると、当該受信した表示情報を前記決定したＷｅｂページ識別情報及び当該受信した項目識別情報に対応させて記憶手段のＷｅｂページファイルに記憶し、端末装置から送信された構成情報を受信すると、当該受信した構成情報を前記決定したＷｅｂページ識別情報に対応させて記憶手段のＷｅｂページファイルに記憶し、
端末装置は、Ｗｅｂ識別情報が入力されると当該入力されたＷｅｂ識別情報をサーバーに送信し、テンプレート情報送信要求操作が行われるとテンプレート情報送信要求信号をサーバーに送信し、サーバーから送信されたテンプレート情報を受信すると当該受信したテンプレート情報を出力手段に出力し、テンプレート情報の選択操作が行われると当該選択されたテンプレート情報に対応するテンプレート識別情報を示すテンプレート選択信号をサーバーに送信し、選択された項目に表示する表示情報が入力されると当該選択された項目を示す項目識別情報及び当該入力された表示情報をサーバーに送信し、構成情報が入力されると当該入力された構成情報をサーバーに送信する、
Ｗｅｂページ作成支援装置。
【請求項２】
請求項１に記載のＷｅｂページ作成支援装置であって、
記憶手段には、テンプレートを構成する項目のデザインが設定されているスタイルシートのスタイルシート情報をスタイルシートを示すスタイルシート識別情報に対応させて記憶するスタイルシートマスタが設けられているとともに、記憶手段に設けられているＷｅｂページファイルには、スタイルシート識別情報がＷｅｂページ識別情報に対応させて記憶され、
サーバーは、端末装置から送信されたスタイルシート情報送信要求信号を受信すると、記憶手段のスタイルシートマスタに記憶されているスタイルシート情報を端末装置に送信し、端末装置から送信されたスタイルシート選択信号を受信すると、当該受信したスタイルシート選択信号で示されているスタイルシート識別情報を前記決定したＷｅｂページ識別情報に対応させて記憶手段のＷｅｂページファイルに記憶し、
端末装置は、スタイルシート情報送信要求操作が行われるとスタイルシート情報送信要求信号をサーバーに送信し、サーバーから送信されたスタイルシート情報を受信すると当該受信したスタイルシート情報を出力手段に出力し、スタイルシート情報の選択操作が行われると当該選択されたスタイルシート情報に対応するスタイルシート識別情報を示すスタイルシート選択信号をサーバーに送信する、
Ｗｅｂページ作成支援装置。
【請求項３】
サーバーと、記憶手段と、端末装置とを備え、
記憶手段には、テンプレートを構成する項目を示す項目識別情報と項目の位置を示す項目位置情報をテンプレートを示すテンプレート識別情報に対応させて記憶する項目位置マスタと、テンプレートを構成する項目を示す項目識別情報と項目に表示可能な表示情報の属性を示す項目内容定義情報をテンプレート識別情報に対応させて記憶する項目内容定義マスタと、テンプレートを構成する項目のデザインが設定されているスタイルシートのスタイルシート情報をテンプレート識別情報に対応させて記憶するスタイルシートマスタと、テンプレート識別情報をＷｅｂページ識別情報に対応させて記憶するテンプレートファイルと、表示情報をＷｅｂページ識別情報及び項目を示す項目識別情報に対応させて記憶する表示情報ファイルと、構成情報をＷｅｂページ識別情報に対応させて記憶する構成情報ファイルが設けられており、
サーバーは、端末装置から送信されたＷｅｂ識別情報を受信し、端末装置から送信されたテンプレート情報送信要求信号を受信すると、記憶手段の項目位置マスタに記憶されている項目位置情報、項目内容定義マスタに記憶されている項目内容定義情報及びスタイルシートマスタに記憶されているスタイルシート情報をテンプレート識別情報とともに端末装置に送信し、端末装置から送信されたテンプレート選択信号を受信すると、当該受信したテンプレート選択信号により示されているテンプレート識別情報を前記受信したＷｅｂ識別情報により決定したＷｅｂページ識別情報に対応させて記憶手段のテンプレートファイルに記憶し、端末装置から送信された項目識別情報と表示情報を受信すると、当該受信した表示情報を前記決定したＷｅｂページ識別情報及び当該受信した項目識別情報に対応させて記憶手段の表示情報ファイルに記憶し、端末装置から送信された構成情報を受信すると、当該受信した構成情報を前記決定したＷｅｂページ識別情報に対応させて記憶手段の構成情報ファイルに記憶し、
端末装置は、Ｗｅｂ識別情報が入力されると当該入力されたＷｅｂ識別情報をサーバーに送信し、テンプレート情報送信要求操作が行われるとテンプレート情報送信要求信号をサーバーに送信し、サーバーから送信された項目位置情報、項目内容定義情報及びスタイルシート情報により構成されるテンプレート情報をテンプレート識別情報に対応させて出力手段に出力し、テンプレート情報の選択操作が行われると当該選択されたテンプレート情報に対応するテンプレート識別情報を示すテンプレート選択信号をサーバーに送信し、選択された項目に表示する表示情報が入力されると当該選択された項目を示す項目識別情報及び当該入力された表示情報をサーバーに送信し、構成情報が入力されると当該入力された構成情報をサーバーに送信する、
Ｗｅｂページ作成支援装置。
【請求項４】
サーバーと、記憶手段と、端末装置とを備え、
記憶手段には、テンプレートを構成する項目を示す項目識別情報と項目の位置を示す項目位置情報をテンプレートを示すテンプレート識別情報に対応させて記憶する項目位置マスタと、テンプレートを構成する項目を示す項目識別情報と項目に表示可能な表示情報の属性を示す項目内容定義情報をテンプレート識別情報に対応させて記憶する項目内容定義マスタと、テンプレートを構成する項目のデザインが設定されているスタイルシートのスタイルシート情報をスタイルシートを示すスタイルシート識別情報に対応させて記憶するスタイルシートマスタと、テンプレート識別情報及びスタイルシート識別情報をＷｅｂページ識別情報に対応させて記憶するテンプレートファイルと、表示情報をＷｅｂページ識別情報及び項目識別情報に対応させて記憶する表示情報ファイルと、構成情報をＷｅｂページ識別情報に対応させて記憶する構成情報ファイルが設けられており、
サーバーは、端末装置から送信されたＷｅｂ識別情報を受信し、端末装置から送信されたテンプレート情報送信要求信号を受信すると、記憶手段の項目位置マスタに記憶されている項目位置情報及び項目内容定義マスタに記憶されている項目内容定義情報をテンプレート識別情報とともに端末装置に送信し、端末装置から送信されたスタイルシート情報送信要求信号を受信すると、スタイルシートマスタに記憶されているスタイルシート情報をスタイルシート識別情報とともに端末装置に送信し、端末装置から送信されたテンプレート選択信号を受信すると、当該受信したテンプレート選択信号により示されているテンプレート識別情報を前記受信したＷｅｂ識別情報により決定したＷｅｂページ識別情報に対応させて記憶手段のテンプレートファイルに記憶し、端末装置から送信されたスタイルシート選択信号を受信すると、受信したスタイルシート選択信号で示されているスタイルシート識別情報を前記決定したＷｅｂページ識別情報に対応させて記憶手段のテンプレートファイルに記憶し、端末装置から送信された項目識別情報と表示情報を受信すると、当該受信した表示情報を前記決定したＷｅｂページ識別情報及び当該受信した項目識別情報に対応させて記憶手段の表示情報ファイルに記憶し、端末装置から送信された構成情報を受信すると、当該受信した構成情報を前記決定したＷｅｂ識別情報に対応させて記憶手段の構成情報ファイルに記憶し、
端末装置は、Ｗｅｂ識別情報が入力されると当該入力されたＷｅｂ識別情報をサーバーに送信し、テンプレート情報送信要求操作が行われるとテンプレート情報送信要求信号をサーバーに送信し、サーバーから送信された項目位置情報、項目内容定義情報及びテンプレート識別情報を受信すると、当該受信したテンプレート識別情報に対応する項目位置情報及び項目内容定義情報により構成されるテンプレート情報を出力手段に出力し、テンプレート情報の選択操作が行われると当該選択されたテンプレート情報に対応するテンプレート識別情報を示すテンプレート選択信号をサーバーに送信し、スタイルシート情報送信要求操作が行われるとスタイルシート情報送信要求信号をサーバーに送信し、サーバーから送信されたスタイルシート情報を受信すると、当該受信したスタイルシート情報を出力手段に出力し、スタイルシート情報の選択操作が行われると当該選択されたスタイルシート情報に対応するスタイルシート識別情報を示すスタイルシート選択信号をサーバーに送信し、選択された項目に表示する表示情報が入力されると当該選択された項目を示す項目識別情報及び当該入力された表示情報をサーバーに送信し、構成情報が入力されると当該入力された構成情報をサーバーに送信する、
Ｗｅｂページ作成支援装置。
【請求項５】
請求項１〜４のいずれかに記載のＷｅｂページ作成支援装置であって、
サーバーは、端末装置から送信された閲覧要求信号を受信すると、閲覧要求信号で示されているＷｅｂページ識別情報に対応させてＷｅｂページファイルに記憶されている情報あるいは閲覧要求信号で示されているＷｅｂページ識別情報に対応させてテンプレートファイル、表示情報ファイル及び構成情報ファイルに記憶されている情報に基づいて、閲覧要求信号で示されているＷｅｂページ情報を端末装置に送信し、
端末装置は、閲覧要求操作が行われると、入力されたＷｅｂページ識別情報を示す閲覧要求信号をサーバーに送信し、サーバーから送信されたＷｅｂページ情報を受信して出力手段に出力する、
Ｗｅｂページ作成支援装置。
【請求項６】
請求項１〜５のいずれかに記載のＷｅｂページ作成支援装置であって、
記憶手段に設けられているテンプレートマスタ、スタイルシートマスタ、項目位置マスタ及び項目内容定義マスタの少なくとも１つは、複数の部分マスタにより構成されている、
Ｗｅｂページ作成支援装置。
【請求項７】
請求項６に記載のＷｅｂページ作成支援装置であって、
サーバーは、端末装置から送信されたユーザーＩＤを受信すると、受信したユーザーＩＤに対応するユーザーが所定の条件を満足しているか否かを判別し、判別結果に基づいて各部分マスタに記憶されている情報の前記端末装置への送信態様を決定し、
端末装置は、ユーザーＩＤが入力されると当該入力されたユーザーＩＤをサーバーに送信する、
Ｗｅｂページ作成支援装置。
【請求項８】
請求項１〜７のいずれかに記載のＷｅｂページ作成支援装置であって、
記憶手段には、特定表示情報を記憶する特定表示情報ファイルが設けられており、
サーバーは、記憶手段に記憶されている表示情報に特定表示情報が含まれている場合には、当該特定表示情報として記憶手段の特定表示情報ファイルに記憶されている特定表示情報を用いる、
Ｗｅｂページ作成支援装置。
【請求項９】
請求項８に記載のＷｅｂページ作成支援装置であって、
特定表示情報ファイルには、遊技機情報が記憶されている、
Ｗｅｂページ作成支援装置。
【請求項１０】
請求項１〜９のいずれかに記載のＷｅｂページ作成支援装置であって、
サーバーは、端末装置から送信された表示情報を受信すると、当該受信した表示情報の記憶を許可する許可信号が入力されたか否かを判断し、許可信号が入力された場合に、当該受信した表示情報を記憶手段のＷｅｂページファイルあるいは表示情報ファイルに記憶する、
Ｗｅｂページ作成支援装置。
【請求項１１】
請求項１〜９のいずれかに記載のＷｅｂページ作成支援装置であって、
サーバーは、記憶手段のＷｅｂページファイルあるいは表示情報ファイルに記憶されている表示情報の送信を許可する許可信号が入力されているか否かを判断し、許可信号が入力されている場合に当該表示情報の送信を許可する、
Ｗｅｂページ作成支援装置。
【請求項１２】
請求項１〜９のいずれかに記載のＷｅｂページ作成支援装置であって、
サーバーは、端末装置から送信された表示情報を受信すると、当該受信した表示情報が所定の条件を満足しているか否かを判断し、当該受信した表示情報が所定の条件を満足している場合に当該受信した表示情報を記憶手段のＷｅｂページファイルあるいは表示情報ファイルに記憶する、
Ｗｅｂページ作成支援装置。
【請求項１３】
請求項１〜９のいずれかに記載のＷｅｂページ作成支援装置であって、
サーバーは、記憶手段のＷｅｂページファイルあるいは表示情報ファイルに記憶されている表示情報が所定の条件を満足しているか否かを判断し、表示情報が所定の条件を満足している場合に、当該表示情報の送信を許可する、
Ｗｅｂページ作成支援装置。
【請求項１４】
請求項１０〜１３のいずれかに記載のＷｅｂページ作成支援装置であって、
サーバーは、予め定められている項目識別情報に対応する表示情報に対する許可信号が入力されているか否か、あるいは、予め定められている項目識別情報に対応する表示情報が所定の条件を満足しているか否かを判断する、
Ｗｅｂページ作成支援装置。
【手続補正２】
【補正対象書類名】明細書
【補正対象項目名】０００６
【補正方法】変更
【補正の内容】
【０００６】
【課題を解決するための手段】
前記課題を解決するために、本発明の第１発明は、請求項１に記載されたとおりのＷｅｂページ作成支援装置である。
請求項１に記載のＷｅｂページ作成支援装置では、記憶手段に、テンプレートを構成する項目を示す項目識別情報、項目の位置を示す項目位置情報及び項目に表示可能な表示情報の属性（例えば、表示情報のタイプ、表示可能な文字の数や文字のタイプ等）により構成されるテンプレート情報をテンプレートを示すテンプレート識別情報に対応させて記憶するテンプレートマスタを設け、サーバーは、記憶手段のテンプレートマスタに記憶されているテンプレート情報を端末装置に送信して表示手段等に出力させ、ユーザーが端末装置に入力したＷｅｂ識別情報、ユーザーが端末装置で選択したテンプレート情報に対応するテンプレート識別情報、ユーザーが端末装置で選択した項目に対応する項目識別情報とユーザーが端末装置で入力した表示情報、ユーザーが端末装置で入力した構成情報（例えば、ユーザーが端末装置で選択した項目とユーザーが入力したリンク情報）を記憶手段のＷｅｂページファイルに記憶する。これにより、ユーザーは、テンプレートマスタに記憶されているテンプレート情報の中から所望のテンプレート情報を選択する操作を行うだけで、Ｗｅｂページの構成、例えば、表示情報を表示可能な項目の位置や、項目に表示する表示情報の属性等を容易に設定することができる。また、ユーザーは、例えば、所望のテンプレート情報が端末装置の表示手段に表示されている状態で、所望の項目を選択し、当該選択した項目に表示する表示情報や構成情報（当該項目にリンクするリンク情報等）を入力するだけで、Ｗｅｂページに必要な情報を入力することができる。
さらに、作成したＷｅｂページを更新する場合にも、ユーザーは、例えば、端末装置の表示手段に、記憶手段のＷｅｂページファイルに記憶されている各情報により構成されるＷｅｂページが表示されている状態で、所望の項目を選択し、当該選択した項目に表示する表示情報や構成情報を入力するだけで、記憶手段のＷｅｂページファイルに記憶されている表示情報や構成情報を更新することができる。
このため、ユーザーのＷｅｂページ作成作業等の負担を、従来例に比して大幅に軽減することができる。
なお、記憶手段のＷｅｂページファイルは、１つのファイルで構成することもできるし、複数のファイルで構成することもできる。例えば、１つのファイルに、選択されたテンプレート情報を示すテンプレート識別情報をＷｅｂページ識別情報に対応させて記憶し、表示情報をＷｅｂページ識別情報及び項目識別情報に対応させて記憶し、リンク情報等の構成情報をＷｅｂページ識別情報に対応させて記憶する方法を用いることができる。あるいは、Ｗｅｂページファイルを、テンプレート識別情報をＷｅｂページ識別情報に対応させて記憶するテンプレートファイルと、表示情報をＷｅｂページ識別情報及び項目識別情報に対応させて記憶する表示情報ファイルと、構成情報をＷｅｂページ識別情報に対応させて記憶する（例えば、リンク情報をＷｅｂページ識別情報及び項目識別情報に対応させて記憶する）構成情報ファイルにより構成する方法を用いることもできる。この場合、１つの記憶手段に各ファイルを記憶させてもよいし、複数の記憶手段に各ファイルを記憶させてもよい。複数の記憶手段に各ファイルを記憶させる場合には、複数の記憶手段により本発明の記憶手段が構成される。
また、テンプレートマスタに、テンプレートを構成する項目の入力内容説明をテンプレート識別情報及び項目識別情報に対応させて記憶させ、例えば、端末装置の表示手段にテンプレート情報を表示する時に、各項目の入力内容等の説明を表示手段に表示可能に構成するのが好ましい。これにより、ユーザーは、テンプレートを構成する項目に表示する表示情報を容易に入力することができる。さらに、テンプレートマスタは、１つのマスタで構成することもできるし、複数のマスタで構成することもできる。
また、本発明の第２発明は、請求項２に記載されたとおりのＷｅｂページ作成支援装置である。
請求項２に記載のＷｅｂページ作成支援装置では、記憶手段には、テンプレートを構成する項目のデザイン（例えば、項目に表示する表示情報の色、項目に表示する文字情報の大きさ、項目のふちの色やふちの大きさ等）が設定されているスタイルシートのスタイルシート情報を記憶しているスタイルシートマスタが設けられており、サーバーは、スタイルシートマスタに記憶されているスタイルシート情報を端末装置に送信して表示手段等に出力させ、ユーザーが端末装置で選択したスタイルシート情報に対応するスタイルシート識別情報を記憶手段のＷｅｂページファイルにＷｅｂページ識別情報に対応させて記憶する。これにより、ユーザーは、スタイルシートマスタに記憶されているスタイルシート情報の中から所望のスタイルシート情報を選択する操作を行うだけで、Ｗｅｂページのデザインを容易に好みのデザインに設定することができる。
なお、記憶手段のＷｅｂページファイルは、１つのページファイルで構成することもできるし、複数のファイルで構成することもできる。例えば、Ｗｅｂページファイルを、テンプレート識別情報をＷｅｂページ識別情報に対応させて記憶するテンプレートファイルと、表示情報をＷｅｂページ識別情報及び項目識別情報に対応させて記憶する表示情報ファイルと、構成情報をＷｅｂページ識別情報に対応させて記憶する（例えば、リンク情報をＷｅｂページ識別情報及び項目識別情報に対応させて記憶し、スタイルシート情報をＷｅｂ識別情報に対応させて記憶する）構成情報ファイルにより構成する方法を用いることができる。
また、本発明の第３発明は、請求項３に記載されたとおりのＷｅｂページ作成支援装置である。
請求項３に記載のＷｅｂページ作成支援装置では、記憶手段に、テンプレートを構成する項目を示す項目識別情報と項目の位置を示す項目位置情報、項目に表示可能な表示情報の属性を示す項目内容定義情報及びテンプレートを構成する項目のデザインが設定されているスタイルシートのスタイルシート情報を、それぞれテンプレートを示すテンプレート識別情報に対応させて記憶する項目位置マスタ、項目内容定義マスタ及びスタイルシートマスタと、テンプレート識別情報をＷｅｂページ識別情報に対応させて記憶するテンプレートファイルと、表示情報をＷｅｂページ識別情報及び項目識別情報に対応させて記憶する表示情報ファイルと、構成情報をＷｅｂページ識別情報に対応させて記憶する構成情報ファイルを設け、サーバーは、項目位置情報、項目内容定義情報及びスタイルシート情報をテンプレート識別情報とともに端末装置に送信し、テンプレート識別情報に対応する項目位置情報、項目内容定義情報及びスタイルシート情報により構成されるテンプレート情報を表示手段等に出力させ、ユーザーが端末装置で選択したテンプレート情報に対応するテンプレート識別情報、ユーザーが端末装置で選択した項目に対応する項目識別情報とユーザーが端末装置で入力した表示情報、ユーザーが端末装置で入力した構成情報を、それぞれ記憶手段のテンプレートファイル、表示情報ファイル、構成情報ファイルにＷｅｂページ識別情報に対応させて記憶する。これにより、ユーザーは、表示手段等に出力されているテンプレート情報の中から所望のテンプレート情報を選択する操作を行うだけで、Ｗｅｂページの構成を容易に設定することができる。特に、本発明では、項目の位置、項目に表示可能な表示情報の属性及び項目のデザインが設定されているテンプレート情報を出力するため、Ｗｅｂページの構成の設定がより容易である。
また、ユーザーは、例えば、所望のテンプレート情報が端末装置の表示手段に表示されている状態で、所望の項目を選択し、当該選択した項目に表示する表示情報や構成情報を入力するだけで、Ｗｅｂページに必要な情報を入力することができる。
さらに、作成したＷｅｂページを更新する場合にも、ユーザーは、例えば、端末装置の表示手段に、記憶手段のテンプレートファイル、表示情報ファイルに記憶されている各情報により構成されるＷｅｂページが表示されている状態で、所望の項目を選択し、当該選択した項目に表示する表示情報や構成情報を入力するだけで、記憶手段のＷｅｂページファイルに記憶されている表示情報や構成情報を更新することができる。
このため、ユーザーのＷｅｂページ作成作業等の負担を、従来例に比して大幅に軽減することができる。
また、本発明の第４発明は、請求項４に記載されたとおりのＷｅｂページ作成支援装置である。
請求項４に記載のＷｅｂページ作成支援装置では、記憶手段に、テンプレートを構成する項目を示す項目識別情報と項目の位置を示す項目位置情報及び項目に表示可能な表示情報の属性を示す項目内容定義情報をそれぞれテンプレートを示すテンプレート識別情報に対応させて記憶する項目位置マスタ及び項目内容定義マスタと、テンプレートを構成する項目のデザインが設定されているスタイルシートのスタイルシート情報をスタイルシートを示すスタイルシート識別情報に対応させて記憶するスタイルシートマスタと、テンプレート識別情報及びスタイルシート識別情報をＷｅｂページ識別情報に対応させて記憶するテンプレートファイルと、表示情報をＷｅｂページ識別情報及び項目識別情報に対応させて記憶する表示情報ファイルと、構成情報をＷｅｂページ識別情報に対応させて記憶する構成情報ファイルを設け、サーバーは、項目位置情報及び項目内容定義情報をテンプレート識別情報とともに端末装置に送信し、テンプレート識別情報に対応する項目位置情報及び項目内容定義情報により構成されるテンプレート情報を表示手段等に出力させ、また、スタイルシート情報を端末装置に送信して表示手段等に出力させ、ユーザーが端末装置で選択したテンプレート情報に対応するテンプレート識別情報及びユーザーが端末装置で選択したスタイルシート情報に対応するスタイルシート識別情報、ユーザーが端末装置で選択した項目に対応する項目識別情報とユーザーが端末装置で入力した表示情報、ユーザーが端末装置で入力した構成情報を、それぞれ記憶手段のテンプレートファイル、表示情報ファイル、構成情報ファイルにＷｅｂページ識別情報に対応させて記憶する。これにより、ユーザーは、表示手段等に出力されているテンプレート情報の中から所望のテンプレート情報を選択する操作を行うだけで、Ｗｅｂページの構成を容易に設定することができる。特に、本発明では、ユーザーは、スタイルシートマスタに記憶されているスタイルシート情報の中から所望のスタイルシート情報を選択する操作を行うだけで、Ｗｅｂページのデザインを容易に好みのデザインに設定することができる。なお、サーバーから端末装置にスタイルシート情報を送信する際には、端末装置で選択されたテンプレート情報に対応したスタイルシート情報（テンプレートを構成している項目のデザインが設定されている）を送信するのが好ましい。
また、ユーザーは、Ｗｅｂページの項目に表示する表示情報の入力や更新も容易に行うことができる。
このため、ユーザーのＷｅｂページ作成作業等の負担を、従来例に比して大幅に軽減することができる。
また、本発明の第５発明は、請求項５に記載されたとおりのＷｅｂページ作成支援装置である。
請求項５に記載のＷｅｂページ作成支援装置では、サーバーは、閲覧要求信号で示されているＷｅｂページ識別情報に対応させてＷｅｂページファイルに記憶されている情報あるいはテンプレートファイル、表示情報ファイル及び構成情報ファイルに記憶されている情報に基づいて、閲覧要求信号で示されているＷｅｂページ情報を端末装置に送信する。これにより、種々の構成のＷｅｂページを閲覧することができる。また、Ｗｅｂページを更新する際、従来のように予めＷｅｂページ全体を構成するデータが一体で記憶されているものは、そのデータ全体を読み込んで修正を行う必要がある。これに対して、本発明では、閲覧要求信号を受信するたびに動的にＷｅｂページが作成されるので、各マスタやファイル毎に修正を行うだけでよく、読み込み時間の短縮等の効果がある。また、同一マスタ（例えば、スタイルシートマスタ）を利用している複数のＷｅｂページに対しては、そのマスタ（例えば、スタイルシート内のテンプレートの背景色に関する情報）を変更することにより、一括して複数のＷｅｂページ（例えば、背景色）の更新を行うことができる。
また、本発明の第６発明は、請求項６に記載されたとおりのＷｅｂページ作成支援装置である。
請求項６に記載のＷｅｂページ作成支援装置では、テンプレートマスタ、スタイルシートマスタ、項目位置マスタ及び項目内容定義マスタの少なくとも１つは複数の部分マスタにより構成されている。各部分マスタ、すなわち、各部分マスタに記憶される情報としては、属性が異なるもの、例えば、提供会社（提供者）が異なるものや、機能が異なるもの等を用いることができる。この場合、例えば、各部分マスタに記憶されている情報のユーザーによる使用回数や使用期間等を算出することによって、各提供会社（提供者）への情報の使用量の支払いを適切に行うことができる。あるいは、提供会社（提供者）が提供している情報の使用状況を把握することもできる。なお、各部分マスタは、同じ記憶手段に設けられていてもよいし、異なる記憶手段に設けられていてもよい。
また、本発明の第７発明は、請求項７に記載されたとおりのＷｅｂページ作成支援装置である。
請求項７に記載のＷｅｂページ作成支援装置では、サーバーは、端末装置から送信されたユーザーＩＤに対応するユーザーが所定の条件を満足しているか否かに応じて各部分マスタに記憶されている情報の端末装置への送信態様を決定する。例えば、ユーザーの契約内容、ユーザーが有しているポイント数（例えば、使用回数等に応じて付与されるポイントの加算値）に応じて、各部分マスタに記憶されている情報を使用可能か否かを判断する。これにより、ユーザーは、本Ｗｅｂページ作成装置の支援装置を使用してＷｅｂページを作成する意欲が高まる。
また、本発明の第８発明は、請求項８に記載されたとおりのＷｅｂページ作成支援装置である。
請求項８に記載のＷｅｂページ作成支援装置では、記憶手段には、特定表示情報を記憶する特定表示情報ファイルが設けられており、サーバーは、記憶手段に記憶されている表示情報に、特定表示情ファイルに記憶されている特定表示情報が含まれている場合には、当該特定表示情報として特定表示情報ファイルに記憶されている特定表示情報を用いる。「特定表示情報ファイルに記憶されている特定表示情報を用いる」方法としては、例えば、記憶手段のＷｅｂページファイル（例えば、表示情報ファイル）に記憶されている特定表示情報が含まれている表示情報を送信する場合に、特定表示情報ファイルから当該特定表示情報を読み出して送信する方法を用いることができる。あるいは、記憶手段のＷｅｂページファイル（例えば、表示情報ファイル）に記憶されている特定表示情報を、所定期間毎、所定時刻、当該特定表示情報が更新された時等に、記憶手段のＷｅｂページファイル（例えば、表示情報ファイル）に記憶されている特定表示情報を、特定表示情報ファイルに記憶されている特定表示情報によって更新する方法を用いることもできる。これにより、Ｗｅｂページに表示される特定表示情報を自動的に更新することができるため、ユーザーの特定表示情報の作成作業等の負担が軽減される。
また、本発明の第９発明は、請求項９に記載されたとおりのＷｅｂページ作成支援装置である。
請求項９に記載のＷｅｂページ作成支援装置では、特定表示情報ファイルに、遊技機情報が記憶されている。遊技機情報としては、例えば、所定の機種の遊技機の構成や遊技方法等を説明する表示情報を用いることができる。これにより、例えば、本発明を、遊技店に設けられる遊技機の遊技機情報を提供するＷｅｂページの作成を支援するＷｅｂページ作成支援装置として用いる場合に、ユーザーによる遊技機情報の作成作業や更新作業の負担が軽減される。
なお、特定表示情報ファイルは、他のマスタやファイルと共に共通の記憶手段に設けてもよいし、特定表示情報ファイルを記憶する記憶手段を別途設けてもよい。複数の記憶手段を設ける場合には、複数の記憶手段によって本発明の記憶手段が構成される。
また、本発明の第１０発明及び第１１発明は、請求項１０及び請求項１１に記載されたとおりのＷｅｂページ作成支援装置である。
請求項１０に記載のＷｅｂページ作成支援装置では、サーバーは、端末装置から送信された表示情報を受信した時、当該受信した表示情報の記憶を許可する許可信号が入力された場合に、当該受信した表示情報を記憶手段に記憶する。また、請求項１１に記載のＷｅｂページ作成支援装置では、サーバーは、記憶手段に記憶されている表示情報の送信を許可する許可信号が入力されているか否かを判断し、許可信号が入力されている場合に当該表示情報の送信を許可する。これにより、Ｗｅｂページに表示する表示情報として適切な表示情報のみを閲覧可能とすることができる。なお、許可信号は、例えば、サーバーを管理する管理会社の担当者が、ユーザーが入力した表示情報を確認した後に入力される。
また、本発明の第１２発明及び第１３発明は、請求項１２及び請求項１３に記載されたとおりのＷｅｂページ作成支援装置である。
請求項１２に記載のＷｅｂページ作成支援装置では、サーバーは、端末装置から送信された表示情報が所定の条件を満足している場合に当該受信した表示情報を記憶手段に記憶する。また、請求項１３に記載のＷｅｂページ作成支援装置では、サーバーは、記憶手段に記憶されている表示情報が所定の条件を満足している場合に合に、当該表示情報の送信を許可する。これにより、Ｗｅｂページに表示する表示情報として適切な表示情報のみを閲覧可能とすることができる。特に、第１２発明及び第１３発明では、表示情報がＷｅｂページに表示する表示情報として適切であるか否かをサーバーが判断するため、例えば、サーバーを管理する管理会社の担当者の負担が軽減される。表示情報がＷｅｂページに表示する表示情報として適切であるか否かを判断する方法としては、例えば、表示情報に所定の用語が使用されているか否かを判断する方法等を用いることができる。
また、本発明の第１４発明は、請求項１４に記載されたとおりのＷｅｂページ作成支援装置である。
請求項１４に記載のＷｅｂページ作成支援装置では、サーバーは、予め定められている項目識別情報に対応する表示情報に対する許可信号の入力あるいは予め定められている項目識別情報に対応する表示情報の所定の条件の満足を判断する。例えば、日付等の形式的な表示情報については、Ｗｅｂページに表示する表示情報として適切であるか否かを判断する必要がない。本発明では、予め定められている項目に表示する表示情報のみ、Ｗｅｂページに表示する表示情報として適切であるか否かを判断するため、サーバーの処理負担が軽減される。